(57)【要約】【課題】  オーディオビジュアル機器を視聴中に、突然の電話の呼び出し音や来客などにより、迅速に該オーディオビジュアル機器本体からの音声出力を切断する必要がある切迫した状況下において、該オーディオビジュアル機器本体を迅速確実に「消音」モードに切り換える手段を提供する。【解決手段】  オーディオビジュアル機器に付帯する遠隔制御装置を構成するリモコン送信機１に変位センサを内蔵させ、該リモコン送信機１が変位したことを検知することにより、該リモコン送信機１から該オーディオビジュアル機器本体としての液晶テレビ２に「消音」を指示する遠隔制御信号を発信させ、その後、一定時間内に該リモコン送信機１が具備するキー群１ａの中のいずれかのキーが、押圧された場合、該「消音」モードを自動的に解除し、押圧された該キーにより定義される遠隔制御機能を優先的に実行させる。【選択図】  図１
2008166896.tif 000002
【特許請求の範囲】
【請求項１】
遠隔制御装置を具備するオーディオビジュアル機器において、該遠隔制御装置を構成する遠隔制御用送信機に変位センサを内蔵したことを特徴とする遠隔制御装置。
【請求項２】
請求項１記載の遠隔制御装置において、該遠隔制御装置を構成する遠隔制御用送信機に内蔵された変位センサからの信号により、該遠隔制御用送信機からオーディオビジュアル機器本体に「消音」を指示する遠隔制御信号を発信することを特徴とする遠隔制御装置。
【請求項３】
請求項１、または２のいずれかの遠隔制御装置において、遠隔制御媒体が赤外光方式である場合であって、且つ、遠隔制御用送信機からの遠隔制御信号が少なくとも「消音」を指示する場合に限り、該遠隔制御信号が該遠隔制御用送信機の全側面から発信されることを特徴とする遠隔制御装置。
【請求項４】
請求項１乃至４のいずれかに記載の遠隔制御装置において、該遠隔制御装置を構成する遠隔制御用送信機に内蔵された変位センサからの信号により、該遠隔制御用送信機からオーディオビジュアル機器本体に「消音」を指示する遠隔制御信号を発信後の一定時間内に、該遠隔制御用送信機が具備する複数のキーのいずれかが押圧された場合に、自動的に該「消音」指示が解除され、押圧された該キーにより定義される機能を優先的に実行することを特徴とする遠隔制御装置。
【発明の詳細な説明】
【技術分野】
【０００１】
本発明は、オーディオビジュアル機器に付帯する遠隔制御装置の遠隔制御用送信機の取り扱い操作性を改善する技術に関する。
【背景技術】
【０００２】
据え置き型テレビや据え置き型ＣＤプレーヤーなどのオーディオビジュアル機器においては、携帯型オーディオビジュアル機器と異なり該機器の設置場所から一定の距離を置いて視聴者が位置するため、該オーディオビジュアル機器操作時の利便性向上を目的として、赤外光または電磁波などの無線伝送媒体を介し、遠隔制御用送信機（以下、リモコン送信機と言う）により該オーディオビジュアル機器本体を制御操作するのが通例である。
【０００３】
オーディオビジュアル機器に多く適用される赤外光を伝送媒体とする遠隔制御装置にあっては、該オーディオビジュアル機器の視聴者が、例えば該オーディオビジュアル機器の音声出力を切断することを所望する場合には、図４に示す該遠隔制御装置を構成するリモコン送信機３１を片手に把持すると共に該リモコン送信機３１の赤外光発光部３１ｂから発信される赤外光ビーム３３を該オーディオビジュアル機器本体に内蔵されたリモコン受信部の赤外光受光窓に指向させながら指先により該リモコン送信機３１の一面に配設された多種の機能を実行するための多数のキー３１ａの中から「消音」キー３１ｃを選択し、選択された該「消音」キー３１ｃを押圧することにより、はじめて所望の「消音」機能を実行することが可能となる。
【０００４】
赤外光を伝送媒体とする遠隔制御装置では、該赤外光が強い指向特性を示すことから、リモコン送信機を被制御機器の赤外光受光部と正対させる必要があり、迅速で確実な遠隔制御操作を阻害する要因となっていた。この対応のため、これまでにも特許文献１に見られるごとくリモコン送信機の前部に加え、該リモコン送信機の後部にも赤外光発光ダイオードを配設する。または特許文献２に見られるごとく赤外光発光ダイオードからの赤外光発射方向を調節可能とする機構を付加するなどの発明がなされている。
【特許文献１】特開２００４−２１５２１１号公報
【特許文献２】特開２００２−１９９４６９号公報
【発明の開示】
【発明が解決しようとする課題】
【０００５】
オーディオビジュアル機器を視聴中に、突然の電話の呼び出し音や来客などの状況が発生し、迅速に該オーディオビジュアル機器本体からの音声出力を切断する必要がある切迫した状況に対応する必要がある場合に、リモコン送信機を片手に把持すると共に、該オーディオビジュアル機器に多く適用される赤外光方式の遠隔操作装置にあっては、該リモコン送信機から発信される赤外光ビームを該リモコン送信機から該オーディオビジュアル機器本体に内蔵されたリモコン受信部の赤外光受光窓に指向させながら指先により該リモコン送信機の一面に配設された多種の機能を実行するためのキー群の中から適切なキーを選択し、選択された該キーを押圧することにより、はじめて該オーディオビジュアル機器本体を「消音」モードに切り換える機能が実行される。
【０００６】
しかしながら、前記のような切迫した状況下において、リモコン送信機を片手に把持すると共に、赤外光ビームが発射される該リモコン送信機を該オーディオビジュアル機器本体に内蔵されたリモコン受信部の赤外光受光窓に指向させながら指先により該リモコン送信機の一面に配設された多種の機能を実行するためのキー群の中から「消音」キーを選択し、押圧する一連の動作を迅速確実に操作することは容易ではなく、不適切なキー操作、またはタイミングを失する結果を招く場合がある。
【課題を解決するための手段】
【０００７】
オーディオビジュアル機器に付帯する遠隔制御装置のリモコン送信機に変位センサを内蔵させ、視聴者の手指がリモコン送信機に触れ、または該リモコン送信機を把持することにより、該リモコン送信機に内蔵した変位センサが、リモコン送信機の変位を検知し、該リモコン送信機から該オーディオビジュアル機器本体に「消音」を指示する遠隔操作用の遠隔制御信号を発信させる。
【０００８】
オーディオビジュアル機器に付帯する遠隔制御装置の制御信号伝送媒体が赤外光方式である場合に、該遠隔制御装置を構成するリモコン送信機に変位センサを内蔵させ、リモコン送信機が変位したことを検知し、該リモコン送信機の全側面に配設された赤外光発光部から該オーディオビジュアル機器本体に「消音」を指示する遠隔制御用の赤外光信号を発信させる。
【０００９】
オーディオビジュアル機器に付帯する遠隔制御装置を構成するリモコン送信機に変位センサを内蔵させ、該リモコン送信機が変位したことを検知することにより、該リモコン送信機から該オーディオビジュアル機器本体に「消音」を指示する遠隔制御信号を発信させ、その後、例えば数秒後迄の一定時間内に該リモコン送信機が具備するキー群中のいずれかのキーが押圧された場合は、該「消音」モードが自動的に解除され、押圧された該キーにより定義される遠隔操作機能を実行させる。
【発明の効果】
【００１０】
オーディオビジュアル機器を視聴中に、突然の電話の呼び出し音や来客などの状況が発生し、迅速に該オーディオビジュアル機器本体からの音声出力を切断する必要がある切迫した状況に対応する必要がある場合に、該オーディオビジュアル機器に付帯する遠隔制御装置を構成するリモコン送信機に触れ、または該リモコン送信機を把持するのみの極めて簡単な操作により、該オーディオビジュアル機器本体からの音声出力を切断する「消音」モードに迅速確実に切り換えることが出来る。
【発明を実施するための最良の形態】
【００１１】
以下、図に基づき本発明の実施形態を液晶テレビに適用した場合に関し説明する。図１は本発明の実施形態に係わる液晶テレビおよびリモコン送信機の外観斜視図である。図１において、１はリモコン送信機、２はオーディオビジュアル機器本体の一例としての液晶テレビである。図１に示すごとく、液晶テレビ２の前面下部にはリモコン送信機１の赤外光発光部１ｂから発射される遠隔制御信号伝送媒体としての赤外光ビーム３を受信するための赤外光受光窓２ａが配設されている。
【００１２】
広く利用されている遠隔制御装置の一例としての自動車の遠隔施錠開錠装置では遠隔制御信号媒体として無指向特性の電磁波が使用されている。しかしながら、液晶テレビを含むオーディオビジュアル機器の多くは、被制御機器の前方に遠隔制御用送信機が位置することを前提とするため、該オーディオビジュアル機器に付帯する遠隔制御装置の遠隔制御信号媒体として赤外光ビームが使用されている。
【００１３】
赤外光ビームを遠隔制御装置の遠隔制御信号伝送媒体とする場合には、図１に示すリモコン送信機１の前部に配設された赤外光発光部１ｂを構成する光電変換素子としての発光ダイオード（ＬＥＤ）から発射される赤外光ビーム３が強い指向特性を有する。
【００１４】
従って、図１に示すオーディオビジュアル機器の遠隔制御装置では、リモコン送信機１により該オーディオビジュアル機器本体の一例としての液晶テレビ２を遠隔制御する場合には、該リモコン送信機１に配設された赤外光発光部１ｂを被制御機器である液晶テレビ２の前面下部に配設された赤外光受光窓２ａに対向させることが、該リモコン送信機１を遠隔制御装置として確実に機能させる条件となる。
【００１５】
図１に示す液晶テレビを視聴中に、突然の電話の呼び出し音や来客などの状況が発生し、迅速に該オーディオビジュアル機器からの音声出力を切断する必要がある切迫した状況に対応する場合、リモコン送信機１を片手に把持すると共に該リモコン送信機１から発射される赤外光ビーム３を該液晶テレビ２に内蔵されたリモコン受信部の赤外光受光窓２ａに指向させながら指先により該リモコン送信機１の一面に配設された多種の機能を実行するためのキー群１ａの中から「消音」キーを選択し、押圧する一連の動作を迅速確実に実行することは容易ではなく、不適切なキー操作、またはタイミングを失する結果を招く場合がある。
【００１６】
図２は、本発明の第１の実施形態を示すリモコン送信機のブロックダイアグラムである。リモコン送信機１の一面には、多種の機能を実行するためのキー群１ａが配設されている。これらの多数のキー群１ａから所望の遠隔制御機能を実行するキーを選択し、選択された該キーを押圧することにより、コード信号発生部１ｃから該当するコード信号が、発光ダイオード駆動部１ｆに入力され、赤外光発光部１ｂから赤外光ビーム３による制御信号が被制御機器に向け伝送される。
【００１７】
オーディオビジュアル機器を視聴中に、突然の電話の呼び出し音や来客などの状況が発生し、迅速に該オーディオビジュアル機器からの音声出力を切断する必要がある切迫した状況に対応するために、図１に示すリモコン送信機１に手指が触れ、または該リモコン送信機１を把持した場合に、該リモコン送信機１に内蔵された角速度サンサ、加速度センサ、または地磁気センサなどの変位センサにより、リモコン送信機１が変位したことが検知され、検知信号がコード信号発生部１ｃを構成する「消音」コード発生部１ｅに入力され、該当するコード信号が、発光ダイオード駆動部１ｆを経由し、赤外光発光部１ｂから発射される赤外光ビーム３により、被制御機器としての該オーディオビジュアル機器に向け伝送される。従って、視聴者がキー群１ａの中から適切なキーを選択し、選択された該キーを押圧する行為を省略することが出来るため、迅速な操作を実行することが可能となる。
【００１８】
図３は、本発明の第２の実施形態を示すリモコン送信機外観の上面斜視図である。遠隔制御装置が制御信号伝送媒体として強い指向特性を有する赤外光ビームを利用する方式では、リモコン送信機１１の前部にのみ配設された発光ダイオードで構成される赤外光発光部１１ｂから発射される赤外光ビームによる制御信号を、被制御機器が確実に受信するためには、該リモコン送信機１１の前部を該被制御機器に正対させる必要がある。切迫した状況下においては、把持したリモコン送信機１１の前部を該被制御機器に正対させる行為は視覚による認知と動作を伴うことから、特に高齢者にあっては俊敏に対応することが困難な場合がある。
【００１９】
前記の困難な状況に対応するため、図３に示すごとくリモコン送信機１１の前部に配設された第１の赤外光発光部１１ｂに加え、該リモコン送信機１１の後部に第２の赤外光発光部１１ｃ、該リモコン送信機１１の両側部に第３の赤外光発光部１１ｄおよび第４の赤外光発光部１１ｅをそれぞれに配設し、「消音」を指示する遠隔制御信号を発信時にのみ、該リモコン送信機１１の各側面に配設された赤外光発光部１１ｂ、１１ｃ、１１ｄ、および１１ｅから一斉に赤外光ビーム１３による遠隔制御信号を発信することにより、遠隔制御信号媒体として強い指向特性を有する赤外光ビームを利用した遠隔制御装置でありながら、水平無指向特性を示す遠隔制御装置を実現することが可能となり、切迫した状況下においても、把持したリモコン送信機１１の前部を該被制御機器に正対させることが不要となり、迅速に被制御機器を「消音」モードに切り換えることが可能となる。
【００２０】
前記のごとく、「消音」を指示する遠隔制御信号を発信時に限定し、リモコン送信機１１の各側面に配設された赤外光発光部１１ｂ、１１ｃ、１１ｄ、および１１ｅから一斉に遠隔制御信号としての赤外光ビーム１３を発射させ、水平無指向特性を示す遠隔制御装置を実現する。該動作を「消音」を指示する遠隔制御信号を発信時のみに限定するのは、切迫した状況下での迅速な対応を要することが多い「消音」に限定することにより、該リモコン送信機１１に内蔵する駆動用電池の消耗を軽減することを目的としている。
【００２１】
前記のごとく、本発明によればリモコン送信機に視聴者の手指が触れ、または該リモコンを把持することにより、該リモコン送信機の位置が僅かに移動するのみで、該リモコン送信機に内蔵された変位センサが検知した信号により該リモコン送信機から被制御機器に「消音」の指示が発信され、該被制御機器は即座に「消音」モードに切り換えることが可能となり、切迫した状況下においても、迅速に対応することが可能となる。
【００２２】
しかしながら、本発明によれば、視聴者が、「消音」モードに切り換える意図を有せず、例えば被制御機器の一例としての液晶テレビにより受信中のチャンネル番号を変更する意図を持ってリモコン送信機に手指が触れた場合にも「消音」モードに切り替わる不都合を伴う。この対応として本発明の第３の実施形態として、視聴者の手指がリモコン送信機に触れ、「消音」モードに切り替わった後の数秒間に、例えば視聴者がリモコン送信機の一面に配設されたキー群の中から所望のチャンネル番号のキーを選択し、選択された該キーを押圧した場合には、自動的に該「消音」モードが解除され、自動的に所望のチャンネル番号に切り替わる遠隔制御信号を該リモコン送信機から被制御機器である液晶テレビに発信させる事により、視聴者は本発明による遠隔制御装置を従来技術による遠隔制御装置と同様に取り扱うことが可能となる。
【図面の簡単な説明】
【００２３】
【図１】本発明の実施形態に係わる液晶テレビおよびリモコン送信機の外観斜視図である。
【図２】本発明の第１の実施形態に係わるリモコン送信機のブロックダイアグラムである。
【図３】本発明の第２の実施形態に係わるリモコン送信機外観の上面斜視図である。
【図４】従来技術例によるリモコン送信機外観の上面斜視図である。
【符号の説明】
【００２４】
１：  リモコン送信機
１ａ：  キー群
１ｂ：  赤外光発光部
１ｃ：  コード信号発生部
１ｄ：  変位センサ
１ｅ：  「消音」コード発生部
１ｆ：  発光ダイオード駆動部
２：  液晶テレビ
２ａ：  赤外光受光窓
３：  赤外光ビーム
１１：  リモコン送信機
１１ｂ：  第１の赤外光発光部
１１ｃ：  第２の赤外光発光部
１１ｄ：  第３の赤外光発光部
１１ｅ：  第４の赤外光発光部
１３：  赤外光ビーム
３１：  リモコン送信機
３１ａ：  キー群
３１ｂ：  赤外光発光部
３１ｃ：  「消音」キー
３３：  赤外光ビーム
【図１】
2008166896.tif 000003
【図２】
2008166896.tif 000004
【図３】
2008166896.tif 000005
【図４】
2008166896.tif 000006